(57)【要約】【課題】幼児等の操作によって光源が不用意に点灯してしまうことを抑制可能なプロジェクタ及びその制御方法を提供する。【解決手段】スタンバイ状態において電源キーの操作がなされると、制御部２０は、カバー検出部３１に指示をして、レンズカバーの位置を検出させ、レンズカバーが中間位置にあるか否かを判断する。この結果、レンズカバーが中間位置にない場合には、制御部２０は、スタンバイ状態のまま処理を終了する。一方、レンズカバーが中間位置にある場合には、制御部２０は、電源回路２８に指示をして動作電力の供給を開始させて、プロジェクタ１をオン状態に移行させ、さらに、光源制御部２９に指示をして光源１１を点灯させる。この結果、入力端子群２５に入力される画像情報に応じた画像が画像投写部１０から投写される。【選択図】図４
2009042507.tif 000002
【特許請求の範囲】
【請求項１】
光源と、
前記光源から射出された光を変調して画像光を形成する光変調装置と、
前記光変調装置で形成された画像光を投写する投写光学系と、
前記投写光学系の射出側に開閉可能に備えられ、前記投写光学系を覆う閉位置及び前記投写光学系を露出させる開位置の間を移動可能なカバー部材と、
前記カバー部材の位置を検出する位置検出部と、
前記光源を点灯させるための操作を受け付ける電源操作部と、
前記電源操作部が操作された場合に、前記光源を点灯させる光源制御部と、
を備え、
前記光源制御部は、前記電源操作部が前記操作を受け付けた際、前記カバー部材が前記閉位置と前記開位置との間の所定の位置に位置することを前記位置検出部が検出した場合に、前記光源を点灯させることを特徴とするプロジェクタ。
【請求項２】
請求項１に記載のプロジェクタであって、
前記光源制御部は、前記カバー部材が前記所定の位置から前記開位置に移動したことを前記位置検出部が検出した場合に、前記光源を点灯させることを特徴とするプロジェクタ。
【請求項３】
請求項１又は２に記載のプロジェクタであって、
前記カバー部材の位置を前記閉位置に規制する第１の規制部と、
前記カバー部材の位置を前記開位置に規制する第２の規制部と、
をさらに備えたことを特徴とするプロジェクタ。
【請求項４】
請求項１〜３のいずれか１項に記載のプロジェクタであって、
前記カバー部材が前記所定の位置にあるか否かを視認させる位置合わせ部をさらに備えたことを特徴とするプロジェクタ。
【請求項５】
請求項１〜４のいずれか１項に記載のプロジェクタであって、
前記位置検出部は、前記カバー部材の位置を非接触で検出することを特徴とするプロジェクタ。
【請求項６】
光源と、
前記光源から射出された光を変調して画像光を形成する光変調装置と、
前記光変調装置で形成された画像光を投写する投写光学系と、
前記投写光学系の射出側に開閉可能に備えられ、前記投写光学系を覆う閉位置及び前記投写光学系を露出させる開位置の間を移動可能なカバー部材と、
を備えたプロジェクタの制御方法であって、
前記光源を点灯させるための操作を受け付ける第１のステップと、
前記第１のステップで前記操作を受け付けた際に、前記カバー部材の位置を検出する第２のステップと、
前記第２のステップで、前記カバー部材が前記閉位置と前記開位置との間の所定の位置に位置することが検出された場合に、前記光源を点灯させる第３のステップと、
を備えたことを特徴とするプロジェクタの制御方法。
【発明の詳細な説明】
【技術分野】
【０００１】
本発明は、光源から射出された光を変調して投写するプロジェクタ及びその制御方法に関する。
【背景技術】
【０００２】
超高圧水銀ランプ等の光源から射出された光を変調して、投写レンズからスクリーン等に投写するプロジェクタを家庭で使用する場合に、プロジェクタを幼児の手の届く位置に放置してしまうと、幼児が誤って電源を投入して光源を点灯させ、投写光を覗き見てしまう恐れがある。プロジェクタの投写光を直接覗き見てしまうと、激しい眩しさを感じ、一時的に視力が低下する症状が生じ得る。
特許文献１には、光源が不用意に点灯しないように、投写レンズを繰り出す操作を行うことによって電源スイッチをオンとするバッテリー駆動型の小型ビデオプロジェクタが提案されている。
【０００３】
【特許文献１】特開平６−１８６５２２号公報
【発明の開示】
【発明が解決しようとする課題】
【０００４】
しかしながら、特許文献１に記載のビデオプロジェクタは、バッグ等に収納した状態で電源スイッチが不用意にオンとなるのを防ぐには効果的であるが、投写レンズを繰り出す操作は、幼児にとっても簡単な操作であるため、幼児が投写光を覗き見てしまうことを防止するには有効ではない。
また、投写レンズの前面に開閉式のレンズカバーを備えたプロジェクタが存在するが、レンズカバーを閉め忘れたり、幼児がレンズカバーを開いてしまったりする恐れがある。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクタは、光源と、前記光源から射出された光を変調して画像光を形成する光変調装置と、前記光変調装置で形成された画像光を投写する投写光学系と、前記投写光学系の射出側に開閉可能に備えられ、前記投写光学系を覆う閉位置及び前記投写光学系を露出させる開位置の間を移動可能なカバー部材と、前記カバー部材の位置を検出する位置検出部と、前記光源を点灯させるための操作を受け付ける電源操作部と、前記電源操作部が操作された場合に、前記光源を点灯させる光源制御部と、を備え、前記光源制御部は、前記電源操作部が前記操作を受け付けた際、前記カバー部材が前記閉位置と前記開位置との間の所定の位置に位置することを前記位置検出部が検出した場合に、前記光源を点灯させることを特徴とする。
【０００７】
このプロジェクタによれば、電源操作部が操作された際、カバー部材が閉位置と開位置との間の所定の位置に位置する場合に、光源制御部が光源を点灯させる構成であるため、光源を点灯させるためには、カバー部材の位置を所定の位置に移動させる必要がある。このため、例えば、スイッチ等の簡単な操作のみで光源が点灯してしまうことがなくなり、幼児等の操作によって光源が不用意に点灯してしまうことを抑制することが可能となる。
【０００８】
［適用例２］上記適用例に係るプロジェクタにおいて、前記光源制御部は、前記カバー部材が前記所定の位置から前記開位置に移動したことを前記位置検出部が検出した場合に、前記光源を点灯させることが望ましい。
【０００９】
このプロジェクタによれば、カバー部材が所定の位置から開位置に移動した後で光源を点灯させるため、カバー部材に光源からの光が照射されるのを抑制することができる。この結果、光の照射に伴うカバー部材の熱的なダメージを抑制することが可能となる。
【００１０】
［適用例３］上記適用例に係るプロジェクタにおいて、前記カバー部材の位置を前記閉位置に規制する第１の規制部と、前記カバー部材の位置を前記開位置に規制する第２の規制部と、をさらに備えることが望ましい。
【００１１】
このプロジェクタによれば、カバー部材を閉位置に規制する第１の規制部と、開位置に規制する第２の規制部とを備えているため、カバー部材は、閉位置又は開位置で安定しやすくなる。この結果、カバー部材が、開位置と閉位置との間の所定の位置、即ち光源を点灯可能な位置に位置する頻度が低くなるため、光源が不用意に点灯してしまうことをさらに抑制することが可能となる。
【００１２】
［適用例４］上記適用例に係るプロジェクタにおいて、前記カバー部材が前記所定の位置にあるか否かを視認させる位置合わせ部をさらに備えることが望ましい。
【００１３】
このプロジェクタによれば、カバー部材が所定の位置にあるか否かを視認可能にする位置合わせ部を備えているため、カバー部材を所定の位置に移動させることが容易になる。
【００１４】
［適用例５］上記適用例に係るプロジェクタにおいて、前記位置検出部は、前記カバー部材の位置を非接触で検出することが望ましい。
【００１５】
このプロジェクタによれば、位置検出部が非接触でカバー部材の位置を検出するため、検出時に摩擦力等の抗力が生じない。このため、抗力によって検出位置（所定の位置）で安定しやすくなることがないため、カバー部材が不用意に検出位置に位置してしまう頻度を低くすることが可能となる。
【００１６】
［適用例６］本適用例に係るプロジェクタの制御方法は、光源と、前記光源から射出された光を変調して画像光を形成する光変調装置と、前記光変調装置で形成された画像光を投写する投写光学系と、前記投写光学系の射出側に開閉可能に備えられ、前記投写光学系を覆う閉位置及び前記投写光学系を露出させる開位置の間を移動可能なカバー部材と、を備えたプロジェクタの制御方法であって、前記光源を点灯させるための操作を受け付ける第１のステップと、前記第１のステップで前記操作を受け付けた際に、前記カバー部材の位置を検出する第２のステップと、前記第２のステップで、前記カバー部材が前記閉位置と前記開位置との間の所定の位置に位置することが検出された場合に、前記光源を点灯させる第３のステップと、を備えたことを特徴とする。
【００１７】
このプロジェクタの制御方法によれば、光源を点灯させるための操作を受け付けた際、カバー部材が閉位置と開位置との間の所定の位置に位置する場合に光源を点灯させるため、光源を点灯させるためには、カバー部材の位置を所定の位置に移動させる必要がある。このため、例えば、スイッチ等の簡単な操作のみで光源が点灯してしまうことがなくなり、幼児等の操作によって光源が不用意に点灯してしまうことを抑制することが可能となる。
【００１８】
また、上述したプロジェクタ及びその制御方法がプロジェクタに備えられたコンピュータ（ＣＰＵ）を用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１９】
（第１実施形態）
以下、第１実施形態に係るプロジェクタについて、図面を参照して説明する。本実施形態のプロジェクタは、光源から射出された光を、外部から入力される画像情報に応じて変調して画像光を形成し、この画像光を投写レンズによりスクリーン等に拡大投写して、画像情報に応じた画像を表示するものである。
【００２０】
図１は、本実施形態のプロジェクタの斜視図である。
図１に示すように、プロジェクタ１は、装置本体が筐体２によって覆われた構成になっている。筐体２の上面２ｔには、ユーザにより入力操作が行われる複数の操作キーを備えた操作パネル２２が設けられ、操作パネル２２の近傍には、プロジェクタ１の動作状態を報知するためのＬＥＤ表示部３０が備えられている。
【００２１】
筐体２の前面２ｆには、投写レンズ１３の射出面を露出させるための開口部３が形成されている。開口部３には、カバー部材としてのレンズカバー４が開閉可能に備えられており、開口部３をレンズカバー４で閉塞することによって、投写レンズ１３を保護することが可能になっている。レンズカバー４は、合成樹脂製で略矩形の板状体であり、その１つの角部には、開閉操作を行うための操作ツマミ４ａが一体的に形成されている（図３参照）。操作ツマミ４ａは、筐体２の上面２ｔに形成されたスリット５から露出しており、そのスリット５に沿って操作ツマミ４ａを左右にスライド操作することによって、レンズカバー４の開閉を行うことができる。また、操作ツマミ４ａは、筐体２の上面２ｔよりも上方に突出するようになっており、スライド操作を容易にしている。
【００２２】
図２は、プロジェクタ１の平面図であり、スリット５の周辺の部位を部分的に示している。また、図３（ａ）〜（ｃ）は、プロジェクタ１の正面図であり、レンズカバー４の開閉状態を示している。
図２に示すように、スリット５は、筐体２の前面２ｆと略平行に形成されており、レンズカバー４は、操作ツマミ４ａがスリット５の右端部５ａに当接する位置と、操作ツマミ４ａがスリット５の左端部５ｂに当接する位置との間を移動可能になっている。
【００２３】
操作ツマミ４ａをスライド操作して、スリット５の右端部５ａに当接させると、レンズカバー４は、図３（ａ）に示すように開口部３を閉塞し、投写レンズ１３を覆ってその射出面を保護する。また、操作ツマミ４ａをスライド操作して、スリット５の左端部５ｂに当接させると、レンズカバー４は、図３（ｃ）に示すように、投写レンズ１３の前方（射出方向）から退避し、開口部３を開放させる。この結果、開口部３から投写レンズ１３が露出し、画像の投写が可能な状態となる。なお、これ以降、操作ツマミ４ａをスリット５の右端部５ａに当接させたときのレンズカバー４の位置を「閉位置」と呼び、操作ツマミ４ａをスリット５の左端部５ｂに当接させたときのレンズカバー４の位置を「開位置」と呼ぶ。
【００２４】
また、図２に示すように、操作ツマミ４ａをスリット５の略中央に位置させたとき、レンズカバー４は、開口部３を略半分だけ開放し、投写レンズ１３を略半分だけ露出させた状態となる（図１及び図３（ｂ）参照）。これ以降、このときのレンズカバー４の位置を「中間位置」と呼ぶ。筐体２の上面２ｔには、レンズカバー４が中間位置にあるときの操作ツマミ４ａの位置を指し示す位置合わせマーク６が付されており、ユーザは、操作ツマミ４ａを位置合わせマーク６の位置に合わせることによって、容易にレンズカバー４を中間位置に位置させることが可能になっている。
【００２５】
次に、プロジェクタ１の概略構成について説明する。
図４は、プロジェクタ１の概略構成を示すブロック図である。
図４に示すように、プロジェクタ１は、画像投写部１０、制御部２０、記憶部２１、操作パネル２２、リモコン２３、操作信号受信部２４、入力端子群２５、入力ソース選択部２６、画像処理部２７、電源回路２８、光源制御部２９、ＬＥＤ表示部３０、カバー検出部３１等で構成されている。
【００２６】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２９】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００３０】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００３１】
操作パネル２２及びリモコン２３は、プロジェクタ１に対して各種指示を行うための入力操作部に相当するものであり、ユーザからの入力操作を受け付ける複数の操作キーを備えている。操作パネル２２及びリモコン２３が備える操作キーとしては、電源のオン・オフを交互に切り替えるための「電源キー」、入力ソースを切り替えるための「入力ソース切替キー」、各種設定を行うための設定メニューを重畳表示させる「メニューキー」等がある。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００３２】
入力端子群２５は、ビデオ再生装置やパーソナルコンピュータ等、図示しない外部の画像供給装置から、各種形式の画像情報を入力可能な複数の入力端子２５ａを備えている。各入力端子２５ａに入力された画像情報は、入力ソース選択部２６に供給される。
【００３３】
入力ソース選択部２６は、複数の入力端子２５ａのうち、制御部２０の指示に基づく１つの入力端子２５ａを選択し、この入力端子２５ａに入力される画像情報を画像処理部２７に出力する。ユーザが、操作パネル２２或いはリモコン２３に備わる入力ソース切替キーを操作して所望の入力端子２５ａを指定すると、制御部２０は、この入力端子２５ａに入力されている画像情報が画像処理部２７に出力されるよう、入力ソース選択部２６に指示をする。
【００３４】
画像処理部２７は、入力ソース選択部２６から入力される各種形式の画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。さらに、画像処理部２７は、制御部２０の指示に基づいて、変換した画像情報に対して、明るさ、コントラスト、シャープネス、色合い等を調整するための画質調整処理や、投写する画像上に設定メニュー等を重畳表示させるためのＯＳＤ（オンスクリーンディスプレイ）処理等を行い、処理後の画像情報をライトバルブ駆動部１４に出力する。
【００３５】
ライトバルブ駆動部１４が、画像処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成し、この画像光が投写レンズ１３からスクリーンＳＣに投写される。
【００３６】
電源回路２８には、外部からＡＣ１００Ｖ等の商用電源が供給される。電源回路２８は、商用電源（交流電源）を所定の電圧の直流電源に変換するとともに、プロジェクタ１の各部に電力を供給する。なお、制御部２０は、電源回路２８から電力の供給を受けて動作している間、電源回路２８に指示をして、画像の投写に必要な電力（動作電力）の供給と停止とを切り替えることができる。
【００３７】
光源制御部２９は、制御部２０の指示に基づいて、光源１１に対する電力の供給と停止とを制御し、光源１１の点灯及び消灯を切り替える。
【００３８】
ＬＥＤ表示部３０は、ＬＥＤ（発光ダイオード）を備えたインジケータであり、制御部２０の指示に基づいてその表示状態を切り替えることにより、ユーザにプロジェクタ１の動作状態（オン状態やスタンバイ状態、異常発生等）を報知する。なお、ＬＥＤ表示部３０は、その表示状態、即ち点灯、点滅、消灯、発光色等を適宜切り替えることによって、多数の動作状態を表すことが可能になっている。
【００３９】
カバー検出部３１は、レンズカバー４の位置を検出する位置検出部に相当するものであり、ＬＥＤ等の発光素子とフォトトランジスタ等の受光素子（いずれも図示せず）とを有する反射型のフォトインタラプタ３１ａを備えている。カバー検出部３１は、制御部２０の指示に基づいて、レンズカバー４が中間位置に位置しているか否かを検出して、検出結果を制御部２０に出力する。
【００４０】
ここで、カバー検出部３１の検出方法について説明する。
図５は、筐体２の内部を示す平面図であり、図６は、レンズカバー４を裏面（投写レンズ１３と対向する面）側から見た斜視図である。両図において、（ａ）は、レンズカバー４が閉位置にある状態、（ｂ）は、レンズカバー４が中間位置にある状態、（ｃ）は、レンズカバー４が開位置にある状態を示している。なお、図６では、筐体２や投写レンズ１３の図示を省略している。
【００４１】
図５（ａ）〜（ｃ）に示すように、カバー検出部３１のフォトインタラプタ３１ａは、投写レンズ１３の左側、即ちレンズカバー４が開く方向に備えられており、フォトインタラプタ３１ａの発光素子は、前方に備わるレンズカバー４に向けて光を照射する。また、図６に示すように、レンズカバー４の裏面４ｒは、光反射率が高くなるように、そのほとんどの領域が白色で着色されている一方で、その一部には、光反射率が低くなるように黒色で着色された低反射部４ｂが形成されている。低反射部４ｂは、図５（ｂ）、図６（ｂ）に示すように、レンズカバー４が中間位置にある場合にフォトインタラプタ３１ａと正対し、発光素子からの光の照射を受けるようになっている。一方、レンズカバー４が中間位置にない場合、例えば、レンズカバー４が閉位置や開位置にある場合（図５（ａ）、（ｃ）、図６（ａ）、（ｃ）参照）には、発光素子からの光は、レンズカバー４の裏面４ｒの白色の部位（高反射部）に照射される。つまり、レンズカバー４が中間位置に位置する場合には、それ以外に位置する場合に比べてフォトインタラプタ３１ａの受光素子による受光量が小さくなるため、カバー検出部３１は、レンズカバー４の位置が中間位置か否かを判別することができる。
【００４２】
次に、本実施形態のプロジェクタ１の動作について説明する。
プロジェクタ１に商用電源が供給されると、電源回路２８は、制御部２０、記憶部２１、操作パネル２２、操作信号受信部２４、ＬＥＤ表示部３０、カバー検出部３１に電力（スタンバイ電力）の供給を行い、制御部２０は、この電力供給を受けて、制御プログラムに従った動作を開始する。商用電源が供給された直後には、プロジェクタ１は、スタンバイ状態（電源がオフの状態ともいう）であり、この状態では、制御部２０は、ＬＥＤ表示部３０を所定の色（本実施形態では、オレンジ色）で点灯させるとともに、操作パネル２２やリモコン２３の電源キーに対する操作を監視する。この状態でユーザが電源キーを操作すると、プロジェクタ１の各部には動作電力が供給され、画像の投写が可能なオン状態（電源がオンの状態ともいう）に移行する。ただし、本実施形態のプロジェクタ１は、レンズカバー４が中間位置に位置した状態で電源キーが操作された場合にのみ、オン状態に移行するようになっている。
【００４３】
図７は、スタンバイ状態において電源キーが操作された場合のプロジェクタ１の動作を説明するためのフローチャートである。スタンバイ状態において電源キーの操作がなされると、制御部２０は、図７に示すフローに従って動作する。
【００４４】
図７に示すように、ステップＳ１０１では、制御部２０は、カバー検出部３１に指示をして、レンズカバー４の位置を検出させ、ステップＳ１０２では、カバー検出部３１の検出結果に基づいて、レンズカバー４が中間位置にあるか否かを判断する。この結果、レンズカバー４が中間位置にない場合にはステップＳ１０３に移行し、中間位置にある場合にはステップＳ１０５に移行する。
【００４５】
レンズカバー４が中間位置にない状態で電源キーが操作されてステップＳ１０３に移行した場合には、制御部２０は、ＬＥＤ表示部３０の表示状態をオレンジ色で点滅する状態として、レンズカバー４が中間位置にない旨を報知する。制御部２０は、ＬＥＤ表示部３０を所定時間（数秒程度）点滅させた後、続くステップＳ１０４において、その表示状態をオレンジ色で点灯する状態に戻し、スタンバイ状態のまま処理を終了する。
【００４６】
一方、レンズカバー４が中間位置にある状態で電源キーが操作されてステップＳ１０５に移行した場合には、制御部２０は、電源回路２８に指示をして動作電力の供給を開始させ、プロジェクタ１をオン状態に移行させる。その後、ステップＳ１０６では、制御部２０は、ＬＥＤ表示部３０の表示状態を緑色で点灯する状態に変更してプロジェクタ１がオン状態に移行した旨を報知する。続くステップＳ１０７では、制御部２０は、光源制御部２９に指示をして光源１１を点灯させるとともに、他の必要な初期動作を行って処理を終了する。この結果、入力端子群２５に入力される画像情報に応じた画像が画像投写部１０から投写される。
【００４７】
本実施形態のプロジェクタ１は、上記のように動作するため、プロジェクタ１の電源をオンにするために、即ちスタンバイ状態からオン状態に切り替えるために、ユーザは、操作ツマミ４ａをスライド操作してレンズカバー４の位置を中間位置に合わせ、その後で電源キーを操作する必要がある。そして、プロジェクタ１がオン状態に移行して画像の投写が開始された後で、ユーザがレンズカバー４を開位置に移動させると、スクリーンＳＣに画像の全体が表示される。
【００４８】
以上説明したように、本実施形態のプロジェクタ１によれば、以下の効果を得ることができる。
（１）本実施形態のプロジェクタ１によれば、光源１１を点灯させるためには、レンズカバー４を中間位置に移動させた状態で電源キーを操作する必要があるため、例えば、スイッチ等の簡単な操作のみで光源１１が点灯してしまうことがなくなり、幼児等の操作によって光源１１が不用意に点灯してしまうことを抑制することが可能となる。
【００４９】
（２）本実施形態のプロジェクタ１によれば、スリット５の右端部５ａがレンズカバー４を閉位置に規制し、スリット５の左端部５ｂがレンズカバー４を開位置に規制するため、レンズカバー４は、閉位置又は開位置のいずれかに位置しやすくなる。この結果、レンズカバー４が、光源１１を点灯可能な中間位置に位置する頻度が低くなるため、光源１１が不用意に点灯してしまうことをさらに抑制することが可能となる。
【００５０】
（３）本実施形態のプロジェクタ１によれば、レンズカバー４が中間位置にあるか否かを視認可能にする位置合わせマーク６が筐体２の上面２ｔに付されているため、レンズカバー４を中間位置に移動させることが容易になる。
【００５１】
（４）本実施形態のプロジェクタ１によれば、フォトインタラプタ３１ａにより非接触でレンズカバー４の位置を検出する構成であるため、検出時に摩擦力等の抗力が生じない。このため、抗力によって中間位置で安定しやすくなることがないため、レンズカバー４が不用意に中間位置に位置してしまう頻度を低くすることが可能となる。
【００５２】
（５）本実施形態のプロジェクタ１によれば、レンズカバー４の裏面４ｒの大部分は光反射率の高い白色であるため、レンズカバー４に光源１１からの光が照射された場合の光の吸収が抑制され、レンズカバー４の熱的なダメージを抑制することが可能となる。
【００５３】
なお、本実施形態では、操作ツマミ４ａがスリット５の右端部５ａに当接することによってレンズカバー４の位置が閉位置に規制され、操作ツマミ４ａがスリット５の左端部５ｂに当接することによってレンズカバー４の位置が開位置に規制されることから、スリット５の右端部５ａ及び左端部５ｂは、それぞれ第１の規制部及び第２の規制部に相当する。また、筐体２に付された位置合わせマーク６は、位置合わせ部に相当し、操作パネル２２及びリモコン２３に備わる電源キーは、電源のオンとオフ、即ち光源１１が点灯する状態と消灯する状態とを切り替えるための操作を受け付けることから電源操作部に相当する。
【００５４】
（第２実施形態）
以下、第２実施形態に係るプロジェクタについて、図面を参照して説明する。前記第１実施形態では、レンズカバー４が中間位置にある状態で電源キーを操作することにより、光源１１を点灯させることが可能になっていたが、本実施形態では、レンズカバー４が中間位置にある状態で電源キーを操作した後、レンズカバー４を開位置に移動させることによって光源１１が点灯する構成になっている。
【００５５】
図８は、本実施形態のプロジェクタ１の筐体２の内部を示す平面図であり、（ａ）は、レンズカバー４が閉位置にある状態、（ｂ）は、レンズカバー４が中間位置にある状態、（ｃ）は、レンズカバー４が開位置にある状態を示している。
図８に示すように、本実施形態では、カバー検出部３１は、２つのフォトインタラプタ３１ａ，３１ｂを備えている。そのうちの一方のフォトインタラプタ（第１のフォトインタラプタ）３１ａは、第１実施形態と同様、レンズカバー４が中間位置にあるか否かを検出し、他方のフォトインタラプタ（第２のフォトインタラプタ）３１ｂは、レンズカバー４が開位置にあるか否かを検出する。第２のフォトインタラプタ３１ｂは、第１のフォトインタラプタ３１ａの左側、即ちレンズカバー４が開く方向に備えられ、第２のフォトインタラプタ３１ｂの発光素子は、第１のフォトインタラプタ３１ａと同様、前方に備わるレンズカバー４に向けて光を照射する。
【００５６】
図８（ｃ）に示すように、第２のフォトインタラプタ３１ｂは、レンズカバー４が開位置にある場合にレンズカバー４の裏面４ｒの低反射部４ｂと正対し、低反射部４ｂに向けて光を照射する。一方、レンズカバー４が開位置にない場合、例えば、レンズカバー４が閉位置や中間位置にある場合（図８（ａ）、（ｂ）参照）には、第２のフォトインタラプタ３１ｂの発光素子が発する光は、レンズカバー４の裏面４ｒの白色の部位（高反射部）に照射される。つまり、レンズカバー４が開位置に位置する場合には、それ以外に位置する場合に比べて、第２のフォトインタラプタ３１ｂの受光素子による受光量が小さくなるため、カバー検出部３１は、レンズカバー４の位置が開位置か否かを判別することができる。なお、レンズカバー４が閉位置にある場合（図８（ａ）参照）でも、第２のフォトインタラプタ３１ｂが発する光がレンズカバー４の裏面４ｒに照射されるよう、レンズカバー４は、第１実施形態よりも横長になっている。上記以外の構成については、第１実施形態と共通である。
【００５７】
図９は、本実施形態において、スタンバイ状態で電源キーが操作された場合のプロジェクタ１の動作を説明するためのフローチャートである。スタンバイ状態において電源キーの操作がなされると、制御部２０は、図９に示すフローに従って動作する。
【００５８】
図９に示すように、ステップＳ２０１では、制御部２０は、カバー検出部３１に指示をして、レンズカバー４の位置を検出させ、ステップＳ２０２では、カバー検出部３１の検出結果に基づいて、レンズカバー４が中間位置にあるか否かを判断する。この結果、レンズカバー４が中間位置にない場合にはステップＳ２０３に移行し、中間位置にある場合にはステップＳ２０５に移行する。
【００５９】
レンズカバー４が中間位置にない状態で電源キーが操作されてステップＳ２０３に移行した場合には、制御部２０は、ＬＥＤ表示部３０の表示状態をオレンジ色で点滅する状態として、レンズカバー４が中間位置にない旨を報知する。制御部２０は、ＬＥＤ表示部３０を所定時間（数秒程度）点滅させた後、続くステップＳ２０４において、その表示状態をオレンジ色で点灯する状態に戻し、スタンバイ状態のまま処理を終了する。
【００６０】
一方、レンズカバー４が中間位置にある状態で電源キーが操作されてステップＳ２０５に移行した場合には、制御部２０は、ＬＥＤ表示部３０の表示状態を緑色で点滅する状態に変更することにより、レンズカバー４を開位置に移動させるようにユーザに促す。
【００６１】
ステップＳ２０６では、制御部２０は、カバー検出部３１に指示をして、レンズカバー４の位置を検出させ、ステップＳ２０７では、カバー検出部３１の検出結果に基づいて、レンズカバー４が開位置にあるか否かを判断する。この結果、レンズカバー４が開位置にある場合にはステップＳ２０８に移行し、開位置にない場合にはステップＳ２０６に戻って、レンズカバー４が開位置に移動されるまでステップＳ２０６，Ｓ２０７を繰り返す。
【００６２】
レンズカバー４が開位置に移動されてステップＳ２０８に移行した場合には、制御部２０は、電源回路２８に指示をして動作電力の供給を開始させ、プロジェクタ１をオン状態に移行させる。その後、ステップＳ２０９では、制御部２０は、ＬＥＤ表示部３０の表示状態を緑色で点灯する状態に変更してプロジェクタ１がオン状態に移行した旨を報知し、続くステップＳ２１０では、制御部２０は、光源制御部２９に指示をして光源１１を点灯さるとともに、他の必要な初期動作を行って処理を終了する。この結果、入力端子群２５に入力される画像情報に応じた画像が画像投写部１０から投写される。
【００６３】
以上説明したように、本実施形態のプロジェクタ１によれば、レンズカバー４が中間位置から開位置に移動した後で光源１１を点灯させる構成であるため、レンズカバー４に光源１１からの光が照射されるのを抑制することができる。このため、光の照射に伴うレンズカバー４の熱的なダメージを抑制することが可能となる。また、レンズカバー４が中間位置にある状態で光源１１が点灯すると、スクリーンＳＣには画像の略半分が投写されることになってしまうが、本実施形態では、そのような事態がなくなり、ユーザを困惑させずに済む。
【００６４】
（変形例）
また、前記実施形態は、以下のように変更してもよい。
前記第１及び第２実施形態では、電源をオンにするために、レンズカバー４を閉位置と開位置の略中間の中間位置に移動させるようにしているが、電源をオンにするためのレンズカバー４の位置は中間位置に限定されず、中間位置よりも開位置寄りであってもよいし、中間位置よりも閉位置寄りであってもよい。
【００６５】
前記第１及び第２実施形態では、カバー検出部３１は、反射型のフォトインタラプタ３１ａ，３１ｂを用いてレンズカバー４の位置を検出する構成を示しているが、透過型のフォトインタラプタを用いた構成にすることも可能である。
図１０は、本変形例に係るプロジェクタ１のレンズカバー４を裏面側から見た斜視図であり、（ａ）は、レンズカバー４が閉位置にある状態、（ｂ）は、レンズカバー４が中間位置にある状態、（ｃ）は、レンズカバー４が開位置にある状態を示している。
図１０（ａ）〜（ｃ）に示すように、レンズカバー４の裏面４ｒには、略垂直に突出する凸部４ｓが形成されており、凸部４ｓは、レンズカバー４が中間位置にある場合にのみ、透過型のフォトインタラプタ３１ｔの発光素子と受光素子の間に介在するようになっている。つまり、カバー検出部３１は、発光素子から受光素子に向かう光が凸部４ｓによって遮られているか否かを検知することよって、レンズカバー４が中間位置にあるか否かを判別することができる。
【００６６】
前記第１及び第２の実施形態では、カバー検出部３１が、光センサであるフォトインタラプタ３１ａ，３１ｂを用いてレンズカバー４の位置を検出する構成を示しているが、カバー検出部３１の構成はこれに限定されず、他の光センサや磁気センサ等を用いてもよい。また、光センサや磁気センサのように非接触で位置を検出する非接触式のセンサに限られず、図１１に示すような接触式のセンサを用いることも可能である。
図１１は、本変形例に係るプロジェクタ１の筐体２の内部を示す平面図であり、（ａ）は、レンズカバー４が閉位置にある状態、（ｂ）は、レンズカバー４が中間位置にある状態、（ｃ）は、レンズカバー４が開位置にある状態を示している。
図１１（ａ）〜（ｃ）に示すように、カバー検出部３１は、投写レンズ１３の左側、即ちレンズカバー４が開く方向に備えられている。カバー検出部３１は、筐体２の前面２ｆに略平行に配置された基板４０と、基板４０の前面（筐体２の前面２ｆ側の面）上に形成された導電パターン４１と、導電性を有する板バネ４２とを有しており、板バネ４２は、一端が基板４０に固定され、他端が導電パターン４１と空隙を介して対向するように配置されている。レンズカバー４の裏面４ｒには、平面視で山型の押圧部４ｐが形成されており、レンズカバー４が中間位置にある場合にのみ押圧部４ｐが板バネ４２を押圧して、導電パターン４１に押し付けるようになっている。このため、カバー検出部３１は、導電パターン４１と板バネ４２とが導通しているか否かを検知することによって、レンズカバー４が中間位置にあるか否かを判別することができる。
【００６７】
前記第１及び第２実施形態では、操作ツマミ４ａがスリット５の右端部５ａ及び左端部５ｂに当接することによって、レンズカバー４の位置が閉位置や開位置に規制されるようになっているが、レンズカバー４の位置を閉位置や開位置に規制する手段はこれに限定されず、例えば、図１２に示すように、レンズカバー４の本体と当接してレンズカバー４の位置を閉位置や開位置に規制する規制部２ｃ，２ｄを筐体２の内部に備えるようにしてもよい。
【００６８】
前記第１及び第２実施形態では、筐体２の上面２ｔに、レンズカバー４を中間位置に位置させるための位置合わせマーク６が付されているが、この位置合わせマーク６は必須の構成ではない。位置合わせマーク６を付していない場合には、電源をオンにするためにレンズカバー４を中間位置に移動させるべきことを知らない第三者が、不正にプロジェクタ１を使用することを抑制することが可能となる。
【００６９】
前記第１及び第２実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【００７０】
前記実施形態では、光源１１は、放電型の光源ランプ１１ａによって構成されているが、ＬＥＤ（Light Emitting Diode：発光ダイオード）光源等の固体光源や、その他の光源を用いることもできる。
【図面の簡単な説明】
【００７１】
【図１】第１実施形態に係るプロジェクタの斜視図。
【図２】第１実施形態に係るプロジェクタの平面図。
【図３】第１実施形態に係るプロジェクタの正面図であり、（ａ）は、レンズカバーが閉位置にある状態を示す図、（ｂ）は、レンズカバーが中間位置にある状態を示す図、（ｃ）は、レンズカバーが開位置にある状態を示す図。
【図４】第１実施形態に係るプロジェクタの概略構成を示すブロック図。
【図５】第１実施形態に係るプロジェクタの筐体の内部を示す平面図であり、（ａ）は、レンズカバーが閉位置にある状態を示す図、（ｂ）は、レンズカバーが中間位置にある状態を示す図、（ｃ）は、レンズカバーが開位置にある状態を示す図。
【図６】第１実施形態に係るプロジェクタのレンズカバーを裏面側から見た斜視図であり、（ａ）は、レンズカバーが閉位置にある状態を示す図、（ｂ）は、レンズカバーが中間位置にある状態を示す図、（ｃ）は、レンズカバーが開位置にある状態を示す図。
【図７】第１実施形態においてスタンバイ状態で電源キーが操作された場合のプロジェクタの動作を説明するためのフローチャート。
【図８】第２実施形態に係るプロジェクタの筐体の内部を示す平面図であり、（ａ）は、レンズカバーが閉位置にある状態を示す図、（ｂ）は、レンズカバーが中間位置にある状態を示す図、（ｃ）は、レンズカバーが開位置にある状態を示す図。
【図９】第２実施形態においてスタンバイ状態で電源キーが操作された場合のプロジェクタの動作を説明するためのフローチャート。
【図１０】変形例に係るプロジェクタのレンズカバーを裏面側から見た斜視図であり、（ａ）は、レンズカバーが閉位置にある状態を示す図、（ｂ）は、レンズカバーが中間位置にある状態を示す図、（ｃ）は、レンズカバーが開位置にある状態を示す図。
【図１１】変形例に係るプロジェクタの筐体の内部を示す平面図であり、（ａ）は、レンズカバーが閉位置にある状態を示す図、（ｂ）は、レンズカバーが中間位置にある状態を示す図、（ｃ）は、レンズカバーが開位置にある状態を示す図。
【図１２】変形例に係るプロジェクタの筐体の内部を示す平面図。
【符号の説明】
【００７２】
１…プロジェクタ、２…筐体、３…開口部、４…レンズカバー、４ａ…操作ツマミ、４ｂ…低反射部、５…スリット、５ａ…右端部、５ｂ…左端部、６…位置合わせマーク、１０…画像投写部、１１…光源、１１ａ…光源ランプ、１１ｂ…リフレクタ、１２Ｒ，１２Ｇ，１２Ｂ…液晶ライトバルブ、１３…投写レンズ、１４…ライトバルブ駆動部、２０…制御部、２１…記憶部、２２…操作パネル、２３…リモコン、２４…操作信号受信部、２５…入力端子群、２５ａ…入力端子、２６…入力ソース選択部、２７…画像処理部、２８…電源回路、２９…光源制御部、３０…ＬＥＤ表示部、３１…カバー検出部、３１ａ，３１ｂ…フォトインタラプタ、ＳＣ…スクリーン。
【図１】
2009042507.tif 000003
【図２】
2009042507.tif 000004
【図３】
2009042507.tif 000005
【図４】
2009042507.tif 000006
【図５】
2009042507.tif 000007
【図６】
2009042507.tif 000008
【図７】
2009042507.tif 000009
【図８】
2009042507.tif 000010
【図９】
2009042507.tif 000011
【図１０】
2009042507.tif 000012
【図１１】
2009042507.tif 000013
【図１２】
2009042507.tif 000014